(57)【要約】【課題】  非吸水性の記録媒体に水性インクを用いて画像形成する場合に、ビーディングを生じることなく高画質を得る、インクジェット記録装置を提供する。【解決手段】  実施形態のインクジェット記録装置は、画像データに応じて非吸水性の記録媒体に、樹脂が分散された水性インクを吐出するインクジェットヘッドと、前記画像データの濃度データが濃度閾値未満となるように前記画像データを分割し、分割画像データに応じた前記インクジェットヘッドからの前記水性インクの吐出を、分割した数繰り返すよう制御する制御部と、を備える。【選択図】図５
2015147400.tif 000002
【特許請求の範囲】
【請求項１】
画像データに応じて非吸水性の記録媒体に、樹脂が分散された水性インクを吐出するインクジェットヘッドと、
前記画像データの濃度データが濃度閾値未満となるように前記画像データを分割し、分割画像データに応じた前記インクジェットヘッドからの前記水性インクの吐出を、分割した数繰り返すよう制御する制御部とを備えることを特徴とするインクジェット記録装置。
【請求項２】
前記制御部は、前記画像データの中の最大濃度となる最大画像データについての分割画像データの濃度データが濃度閾値未満となるように前記最大画像データを分割した場合に、全画像データについて前記最大画像データを分割した数と同じ数に分割し、前記全画像データについて、前記インクジェットヘッドから分割画像データに応じた前記水性インクの吐出を前記分割した数と同じ回数を繰り返すことを特徴とする請求項１に記載のインクジェット記録装置。
【請求項３】
前記インクジェットヘッドから前記記録媒体に前記水性インクを吐出した後に、前記記録媒体上の前記水性インクを乾燥する乾燥部を備えることを特徴とする請求項１または請求項２に記載のインクジェット記録装置。
【請求項４】
前記分割画像データの階調を表現するために、前記インクジェットヘッドが吐出するドロップ数が第１のドロップ数であって、前記第１のドロップ数による階調データの領域が前記濃度閾値を超える場合に、前記制御部は、前記インクジェットヘッドが吐出するドロップ数を、（第１のドロップ数−１）以下のドロップ数となるように分割制御することを特徴とする請求項１乃至請求項３のいずれか１項に記載のインクジェット記録装置。
【請求項５】
インクジェット方式により樹脂が分散された水性インクを用いて非吸水性の記録媒体に形成される画像の画像データを、濃度データが濃度閾値未満となるように分割する工程と、
前記分割された分割画像データに応じた前記水性インクの前記記録媒体への吐出を分割した数繰り返す工程とを備えることを特徴とする画像形成方法。
【請求項６】
前記画像データを分割する工程は、前記画像データの中の最大濃度となる最大画像データについての分割画像データの濃度データが濃度閾値未満となるよう前記最大画像データを分割し、全画像データについて前記最大画像データを分割した数と同じ数に分割し、
前記記録媒体への吐出を分割した数繰り返す工程は、前記全画像データについて、分割画像データに応じた前記水性インクの吐出を前記分割した数と同じ回数を繰り返すことを特徴とする請求項５に記載の画像形成方法。
【請求項７】
前記水性インクを前記記録媒体に吐出する工程の後に、前記記録媒体上の前記水性インクを乾燥する工程を備えることを特徴とする請求項５または請求項６に記載の画像形成方法。
【請求項８】
前記分割画像データの階調を表現するために、前記記録媒体に吐出されるドロップ数が第１のドロップ数であって、前記第１のドロップ数による階調データの領域が前記濃度閾値を超える場合に、前記記録媒体に吐出されるドロップ数を、（第１のドロップ数−１）以下のドロップ数となるように分割制御することを特徴とする請求項５乃至請求項７のいずれか１項に記載の画像形成方法。
【発明の詳細な説明】
【技術分野】
【０００１】
実施形態は、水性の樹脂エマルジョンインクを用いて非吸水性の記録媒体に画像を形成するインクジェット記録装置及び画像形成方法に関する。
【背景技術】
【０００２】
水性インクを用いて画像を形成するために、支持体に水溶性樹脂からなるインク受容層を設けて吸水性を改良したシートがある。また、１回のインク量を適量に制限して、印字を複数回重ねるインクジェット記録装置がある。他方、インクジェット記録装置では、樹脂製あるいはガラス製等の非吸水性の記録媒体上に画像を形成する場合に、環境保全、人体への安全性あるいは取扱い性の面から、紫外線硬化を必要とするＵＶインクに替わる水性樹脂エマルジョンインクの使用が望まれている。
【０００３】
非吸水性の記録媒体に水性インクを吐出すると、記録媒体に水性インクが浸透しないために、吐出された個々の水性インクが記録媒体上で結合した（混ざった）状態で定着する恐れがあり、濃度ムラを生じるビーディングを発生して、高精度の画質を得られない恐れがある。
【先行技術文献】
【特許文献】
【０００４】
【特許文献１】特開平１０−３０５６５７号公報
【特許文献２】特開平１１−７８０７２号公報
【発明の概要】
【発明が解決しようとする課題】
【０００５】
この発明が解決しようとする課題は、非吸水性の記録媒体に水性インクを用いて画像形成する場合に、ビーディングを生じることなく高画質を得る、信頼性の高いインクジェット記録装置及び画像形成方法を提供することである。
【課題を解決するための手段】
【０００６】
上記課題を達成するために、実施形態のインクジェット記録装置は、画像データに応じて非吸水性の記録媒体に、樹脂が分散された水性インクを吐出するインクジェットヘッドと、前記画像データの濃度データが濃度閾値未満となるように前記画像データを分割し、分割画像データに応じた前記インクジェットヘッドからの前記水性インクの吐出を、分割した数繰り返すよう制御する制御部とを備える。
【図面の簡単な説明】
【０００７】
【図１】第１の実施形態のインクジェットプリンタを示す概略構成図。
【図２】第１の実施形態のインクジェットプリンタの制御系を示す概略ブロック図。
【図３】第１の実施形態のインクジェットプリンタの濃度閾値を説明するグラフ。
【図４】第１の実施形態のインクジェットヘッドにより印字されるシート上に吐出した水性インクを示し、（ａ）は濃度データが１２５bit未満の場合を示し、（ｂ）は濃度データが１２５bit以上の場合を示す説明図。
【図５】第１の実施形態のインクジェットプリンタのビーディングの発生防止をメインとする印字操作を示すフローチャート。
【図６】変形例のインクジェットプリンタを示す概略構成図。
【発明を実施するための形態】
【０００８】
以下実施形態について説明する。
【０００９】
（第１の実施形態）
第１の実施形態のインクジェット記録装置について図１乃至図５を参照して説明する。図１はインクジェット記録装置であるインクジェットプリンタ１０の一例を示す。図１に示すインクジェットプリンタ１０は、非吸水性の記録媒体である例えば樹脂性のシートＳを保管するカセット１１、シート供給部１２、保持ローラ１３、シート排出部１４を備える。インクジェットプリンタ１０は、保持ローラ１３の周囲に吸着部１６ａ、画像形成部１７及び剥離部１６ｂを備える。
【００１０】
非吸水性の記録媒体はＰＥＴ（Polyethylene terephthalate）樹脂、塩化ビニール樹脂、ポリプロピレン樹脂等からなる樹脂シートあるいは樹脂カード類、更にはガラス製品等任意である。保持ローラ１３は、例えば接地されるアルミニウムの円筒フレームの表面に、薄い絶縁層を備える。保持ローラ１３は、表面にシートＳを保持した状態で矢印ｒ方向に回転して、シートＳを搬送する。吸着部１６ａは、例えば帯電による静電気力でシートＳを保持ローラ１３に吸着させる。
【００１１】
画像形成部１７は、例えばインクジェットヘッド１８Ｙ、１８Ｍ、１８Ｃ、１８Ｋを備える。インクジェットヘッド１８Ｙ、１８Ｍ、１８Ｃ、１８Ｋは、それぞれ水性インクであり樹脂が分散されたイエロ、マゼンダ、シアン、ブラックの樹脂エマルジョンインク（以下エマルジョンインクと略称する）を吐出する。画像形成部１７のインクジェットヘッド１８Ｙ、１８Ｍ、１８Ｃ、１８Ｋは、それぞれ使用するインクが異なるものの同じ構成である。したがって共通の符号を用いて説明する。
【００１２】
インクジェットヘッド１８はラインヘッドあるいはシリアルヘッドのいずれでもよい。インクジェットヘッド１８は、カセット１１から取り出され、保持ローラ１３表面に保持されるシートＳに、エマルジョンインクを吐出して、所望の画像を印字する。インクジェットプリンタ１０は、所望の画像が印字されたシートＳを、剥離部１６ｂにより保持ローラ１３から剥離して、シート排出部１４の排出トレイ１４ａに排出する。
【００１３】
インクジェット記録装置の構造はインクジェットプリンタ１０に限定されない。インクジェット記録装置は、例えばシートＳをフラットなテーブルに固定して、テーブルあるいはインクジェットヘッドを移動しながらインクジェットヘッドからインクを吐出して画像を印字する等任意である。インクジェット記録装置のインクジェットヘッドの数あるいは使用する水性インクの色等任意である。
【００１４】
図２に示すブロック図を参照して、インクジェットプリンタ１０の制御系３０について説明する。制御系３０は、例えば、インクジェットプリンタ１０全体を制御する制御部であるＣＰＵ３１を備える。制御系３０は、各種制御プログラムを格納するＲＯＭ（Ｒｅａｄ  Ｏｎｌｙ  Ｍｅｍｏｒｙ）３２ａと、一時的な作業領域を提供するＲＡＭ（Ｒａｎｄｏｍ  Ａｃｃｅｓｓ  Ｍｅｍｏｒｙ）３２ｂを備える。
【００１５】
ＣＰＵ３１は、コントロールパネル３３と接続し、インターフェース３４を介して外部装置３４ａと接続する。ＣＰＵ３１は、インクジェットヘッド１８により形成する画像の画像データを処理する画像処理部３６、インクジェットヘッド１８を駆動するヘッド駆動部３７に接続する。ＣＰＵ３１は、シート供給部１２、保持ローラ１３、シート排出部１４、吸着部１６ａ及び剥離部１６ｂ等を駆動する搬送駆動部３８に接続する。
【００１６】
ＲＯＭ３２ａは、インクジェットプリンタ１０の基本的な動作を司る制御プログラム及び制御データなどを記憶する。ＲＯＭ３２ａは制御データとして、例えば、後述する濃度閾値等を記憶する。ＲＡＭ３２ｂは、例えば制御パラメータ、印字枚数、印字時間等を記憶する。ＲＡＭ３２ｂは、例えば印字対象となる画像データを記憶する。画像データは、インクジェットプリンタ１０に接続される外部装置３４ａから受信したデータであってもよいし、インクジェットプリンタ１０が備えるスキャナ等により読取ったデータ等であってもよい。ＣＰＵ３１は、画像処理部３６で画像処理した画像処理結果のデータをＲＡＭ３２ｂに記憶するよう制御する。
【００１７】
ヘッド駆動部３７は、ＣＰＵ３１の制御によりインクジェットヘッド１８を駆動する。例えばヘッド駆動部３７は、ＲＡＭ３２ｂが記憶する画像処理結果に応じてインクジェットヘッド１８のインク吐出部を選択的に駆動して、シートＳにエマルジョンインクを吐出する。
【００１８】
インクジェットヘッド１８から非吸水性のシートＳにエマルジョンインクを吐出した場合に、個々のエマルジョンインクが結合し（混ざり）、ビーディングを発生する場合がある。シートＳ上の個々のエマルジョンインクが定着する前に吐出領域（画像形成領域）からオーバーフローすると、ビーディングが発生する。ビーディングの発生は、主としてシートＳに吐出されるエマルジョンインクの特性と、エマルジョンインクの量と、エマルジョンインクが定着するまでの時間との関係に因る。インクジェットプリンタ１０は、ビーディングを発生しないために、インクジェットヘッド１８からのエマルジョンインクの吐出条件を適正に設定する。
【００１９】
インクジェットプリンタ１０は、画像データに応じてインクジェットヘッド１８からエマルジョンインクをシートＳに吐出した場合に、ビーディングが発生される、画像データの濃度閾値を予め設定する。濃度閾値は、主としてエマルジョンインクの特性と、エマルジョンインクの吐出量と、吐出されたエマルジョンインクが定着するまでの時間とに依存する。
【００２０】
比較のために、エマルジョンインクを、シートＳと吸水性を備える普通紙とに吐出した場合に、ビーディングを発生する濃度閾値の一例を図３に示す。インクジェットヘッド１８の画像データの最大濃度データを２５６bitとする。また、印字画像濃度が１．６以上の場合に、ビーディングを発生するものとする。記録媒体が普通紙の場合は、点線αで示すように、最大濃度データの２５６bitであっても、ビーディングを発生しない。記録媒体が非吸水性のシートＳの場合は、実線βで示すように、濃度データが１２５bitで、ビーディングを発生する。
【００２１】
画像データの濃度データが１２５bit未満の場合、インクジェットヘッド１８から非吸水性のシートＳに吐出されるエマルジョンインク（Ｉ）は、図４（ａ）に示す様に、個々に独立して所望の形状及び濃度で定着する。画像データの濃度データが１２５bit以上の場合、図４（ｂ）に示す様に、インクジェットヘッド１８からシートＳに吐出されるエマルジョンインク（Ｉ）は、ビーディングを発生して結合してしまう。インクジェットプリンタ１０は、濃度データ１２５bitを濃度閾値としてＲＯＭ３２ａに記憶する。
【００２２】
インクジェットプリンタ１０は、ビーディングを発生しない値の濃度データに応じて、インクジェットヘッド１８からシートＳに、エマルジョンインクを吐出する。インクジェットプリンタ１０は、濃度閾値未満の濃度データに応じた印字操作を繰り返して、所望の画像濃度を有する画像を印字する。インクジェットプリンタ１０は、先行する印字操作によりシートＳ上に吐出されたエマルジョンインクが定着した後に、次の印字操作によりエマルジョンインクを重ねる。
【００２３】
インクジェットプリンタ１０は、ＣＰＵ３１の制御により、画像処理部３６にて、画像データを濃度閾値未満のデータにデータ処理する。データ処理のためＣＰＵ３１は、画像処理部３６にて、ＲＡＭ３２ｂに記憶される全画像データの中の最大濃度のデータを割り出す。最大濃度のデータが濃度閾値以上である場合に、ＣＰＵ３１は、１回の印字操作による最大濃度のデータが濃度閾値未満となるように、最大濃度のデータをｎ分割する。全画像データの中の最大濃度のデータが濃度閾値未満である場合は、インクジェットプリンタ１０は、画像処理部３６で最大濃度のデータをｎ分割せずに印字操作する。
【００２４】
全画像データの中の最大濃度のデータをｎ分割する場合の分割数は、最大濃度のデータを、ビーディングを発生しない濃度データに出来れば良い。但し画像データをｎ分割した場合に、所望の高画質の印字画像を得るには、印字操作をｎ回繰り返す必要がある。したがってインクジェットプリンタ１０は、印字の高速性を追求するには、画像データの分割数は少ないことが望ましい。
【００２５】
例えば、最大濃度となる最大画像データがＹ(６４bit)＋Ｍ(６４bit)＋Ｃ(６４bit)＋Ｋ(６４bit)＝２５６bitの重ね画像データであるとする。インクジェットプリンタ１０の濃度閾値が１２５bitであることから、ＣＰＵ３１は画像処理部３６にて、分割画像データが１２５bit未満となるように、２５６bitの重ね画像データを３等分する。ＣＰＵ３１は、画像処理部３６で、重ね画像データをＹ(２１bit)＋Ｍ(２１bit)＋Ｃ(２１bit)＋Ｋ(２１bit)＝８４bitに３等分して、分割画像データをＲＡＭ３２ｂに保存する。
【００２６】
２５６bitの重ね画像データを３等分して、１回の印字を８４bitのインク量とすることにより、インクジェットプリンタ１０は最大濃度データによる画像がビーディングを発生するのを防止する。（例えば、最大画像データが２５６bitである重ね画像データを２分割した場合は、１回の印字は１２８bitのインク量となり、ビーディングを発生する濃度閾値（１２５bit）を超えてしまう。）
２５６bitの重ね画像データを３等分した８４bitのインク量は、インクジェットプリンタ１０が重ね印字をする場合に、前回シートＳに吐出されたエマルジョンインクが定着している量である。２５６bitの重ね画像データを８４bitに３等分した場合は、シートＳに複数回印字を重ねてもビーディングを発生せず、高画質の印字画像を再現出来る。
【００２７】
インクジェットプリンタ１０が印字する画像データは限定されない。例えば、最大濃度のデータが、(Ｙ(128bit)＋Ｃ(128bit))からなるグリーンのデータであっても良い。最大濃度のデータが、(Ｙ(128bit)＋Ｃ(128bit))の場合、ＣＰＵ３１は、画像処理部３６にて、分割画像データが１２５bit未満となるように３等分する。ＣＰＵ３１は、グリーンのデータを（Ｙ(４３bit)＋Ｃ(４３bit)＝８３bitに３分割する。
【００２８】
ＣＰＵ３１は、ビーディングの発生を防止するために、画像処理部３６にて最大濃度の最大画像データをｎ分割した場合、全画像データについてｎ分割して、全分割画像データをＲＡＭ３２ｂに保存する。ＣＰＵ３１は、ＲＡＭ３２ｂに保存される全画像データについての全分割画像データに応じてヘッド駆動部３７を制御する。
【００２９】
インクジェットプリンタ１０でのビーディングの発生防止をメインとする印字操作を、図５のフローチャートを参照して説明する。外部装置３４ａ等から画像データが入力されると、インクジェットプリンタ１０は、印字操作を開始する。印字操作開始によりＣＰＵ３１は、入力された全画像データをＲＡＭ３２ｂに記憶する（ＡＣＴ１００）。ＣＰＵ３１は、画像処理部３６を制御して、ＲＡＭ３２ｂに記憶される全画像データから最大濃度のデータを割り出す。最大濃度のデータが濃度閾値以上の場合にＣＰＵ３１は、最大濃度のデータの分割数ｎを決定する（ＡＣＴ１０１）。分割数は、最大濃度の分割データが濃度閾値未満、例えば１２５bit未満となる数である。なお分割数は、インクジェットプリンタ１０による印字操作の繰り返し回数となることから、印字操作の高速性が損なわれないよう、少ない数が望ましい。
【００３０】
分割数ｎを決定後、ＣＰＵ３１は、全画像データを、決定した分割数ｎで分割し（ＡＣＴ１０２）、全分割画像データをＲＡＭ３２ｂに記憶し（ＡＣＴ１０３）、ＡＣＴ１０４に進む。ＡＣＴ１０４でＣＰＵ３１は印字操作回数を０にリセットし、ＡＣＴ１０６に進む。ＡＣＴ１０６でＣＰＵ３１は、搬送駆動部３８を制御して、シートＳを保持ローラ１３に吸着して画像形成部１７位置に搬送する。ＡＣＴ１０６でＣＰＵ３１は、ヘッド駆動部３７を制御して、ＲＡＭ３２ｂに記憶される全分割画像データに従いインクジェットヘッド１８から１２５bit未満の量のエマルジョンインクをシートＳに吐出する。
【００３１】
全分割画像データに従うエマルジョンインクの吐出を終了した場合、ＣＰＵ３１は、２回目の（次の回の）インク吐出に進むため、印字操作回数に１を加算する（ＡＣＴ１０７）。ＣＰＵ３１は、印字操作回数が、全分割数のｎ回に達するまで（ＡＣＴ１０８でＹｅｓ．）、ＡＣＴ１０６、ＡＣＴ１１０７を繰り返す。全分割画像データに従うインクジェットヘッド１８からのエマルジョンインクの吐出を、分割回数であるｎ回シートＳに繰り返した場合（ＡＣＴ１０８でＹｅｓ．）、ＣＰＵ３１の制御による、インクジェットヘッド１８からのエマルジョンインクの吐出を全て終了する（ＡＣＴ１１０）。エマルジョンインクの吐出終了後、ＣＰＵ３１は、搬送駆動部３８を制御して、シートＳを排出トレイ１４ａに排出して（ＡＣＴ１１１）、印字操作を終了する。
【００３２】
第１の実施形態によれば、非吸水性のシートＳにエマルジョンインクを用いて印字をする場合に、全画像データ中の最大濃度のデータを、濃度閾値未満とするように分割する。最大濃度のデータを分割した場合は、全画像データを最大濃度のデータの分割数と同じ分割数で分割する。インクジェットヘッド１８は、１回の印字で分割画像データに従う量のエマルジョンインクを吐出し、分割数と同じ回数、印字操作を繰り返して、所望の印字画像を形成する。第１の実施形態によれば、前回の印字操作により分割画像データに従いシートＳに吐出されたエマルジョンインクは、次の印字操作までに定着している。分割画像データに従いシートＳに印字操作を繰り返すことにより、ビーディングを発生することなく、良好な画像再現性を得られ、高画質の印字画像を得られる。
【００３３】
（第２の実施形態）
第２の実施形態は、第１の実施形態において、更に印字画像の階調制御を原因とするビーディングの発生を防止する。第２の実施形態にあって、前述の第１の実施形態で説明した構成と同一構成については同一符号を付して詳細な説明を省略する。
【００３４】
第２の実施形態では、ＣＰＵ３１は、ビーディングの発生を防止するために、画像処理部３６にて最大濃度の最大画像データをｎ分割制御し、更に１回の印字でインクジェットヘッド１８から吐出するエマルジョンインクのドロップ数を制御する。インクジェットヘッド１８は、各濃度データを１ドロップで印字せずに、濃度データに応じてインクのドロップ数を調整し、あるいはインクのドロップ位置を調整する等して、画像データを更に階調制御する。
【００３５】
例えばインクジェットヘッド１８が、最大濃度データの２５６bitの１画素を印字するエマルジョンインクのドロップ数を６ドロップとして階調表現する場合に、インクジェットヘッド１８は、濃度データ０〜３６bitまでは０ドロップ、３７bit〜７４bitまでは１ドロップ、７５bit〜１１１bitまでは２ドロップ、１１２bit〜１４８bitまでは３ドロップ、１４９bit〜１８５bitまでは４ドロップ、１８６bit〜２２２bitまでは５ドロップ、２２３bit〜２５６bitまでは６ドロップのエマルジョンインクで１画素を印字して階調表現するとする。
【００３６】
すなわち、インクジェットヘッド１８は、濃度閾値が１２５bit未満の１１２bit〜１２４bitまでは、本来第１のドロップ数である３ドロップのエマルジョンインクで１画素を階調表現する。但し３ドロップのエマルジョンインクによる階調データの領域は、濃度閾値を超える１２５bit〜１４８bitまでをカバーし、ビーディングを発生してしまうドロップ数である。したがって、第２の実施形態では、濃度データが１１２bit〜１２４bitの画素にあっては、濃度閾値１２５bit未満であっても、（第１のドロップ数−１）以下の２ドロップ以下のドロップ数で階調表現する。
【００３７】
第２の実施形態では、ＣＰＵ３１はビーディングの発生を防止するために、画像処理部３６を制御して、全分割画像データの中から、ドロップ数が３ドロップとなる分割画像データを割り出す。ＣＰＵ３１は、割り出した３ドロップの分割画像データを再分割して、ドロップ数を２以下とする。ＣＰＵ３１は、再分割データをＲＡＭ３２ｂに記憶する。
【００３８】
ＣＰＵ３１は、ヘッド駆動部３７を制御して、全分割画像データに従い２ドロップ以下のドロップ数のエマルジョンインクをインクジェットヘッド１８からシートＳに吐出する印字操作を分割回数繰り返す。更にＣＰＵ３１は、再分割データについて、インクジェットヘッド１８から残りのドロップ数分のエマルジョンインクを、２ドロップ以下のドロップ数でシートＳに吐出する、印字操作を繰り返す。
【００３９】
第２の実施形態によれば、第１の実施形態と同様に、分割画像データに従いシートＳに分割数と同じ回数の印字操作を繰り返すことにより、ビーディングを発生せずに、高画質の印字画像を得られる。更に第２の実施形態によれば、濃度閾値未満の分割画像データのドロップ数が３ドロップである場合には、インクジェットヘッド１８からのドロップ数を２ドロップ以下に再分割する。第２の実施形態によれば、ビーディングを発生しない２ドロップ以下で階調を表現することにより、より確実にビーディングの発生を防止して良好な画像再現性を得られ、高画質の印字画像を得られる。
【００４０】
以上説明した少なくとも１つの実施形態によれば、最大濃度のデータを、濃度閾値未満とするように分割し、全画像データを最大濃度のデータの分割数と同じ分割数で分割する。分割画像データに従い非吸水性のシートにエマルジョンインクを塗布する印字操作を、分割数と同じ回数繰り返して、ビーディングを発生せずに、高画質の印字画像を得ることが出来る。
【００４１】
この発明は上記実施形態に限定されるものではなく、種々の変形が可能である。インクジェットヘッドのインク吐出能力、水性インクの特性等限定されないし、記録媒体も樹脂に限定されず、ガラス等であっても良い。またインクジェット記録装置の構造等限定されず、例えば図６の変形例に示すように、インクジェットヘッド１８からシートＳに吐出された水性インクを速く乾燥するために、インクジェットプリンタ１０の保持ローラ１３の内部に、乾燥部であるヒータ２０を備えても良い。あるいはヒータ２０に代えて、保持ローラ１３の周囲にファンを配置して、水性インクの乾燥を速める等任意である。
【００４２】
また、濃度データを濃度閾値未満とする画像データの分割制御は、自動フローチャートあるいはマニュアル入力で選択する等任意である。例えばインクジェット記録装置で非吸水性の記録媒体であることを読取って、自動フローチャートで制御しても良いし、あるいはユーザがコントロールパネル等から記録媒体の種類を選択して制御しても良い。
【００４３】
この発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれるとともに、特許請求の範囲に記載された発明とその均等の範囲に含まれる。
【符号の説明】
【００４４】
１０…インクジェットプリンタ
１８…インクジェットヘッド
３１…ＣＰＵ
３６…画像処理部
３７…ヘッド駆動部
【図１】
2015147400.tif 000003
【図２】
2015147400.tif 000004
【図３】
2015147400.tif 000005
【図４】
2015147400.tif 000006
【図５】
2015147400.tif 000007
【図６】
2015147400.tif 000008